(57)【要約】【課題】電気信号による治療効果を向上可能な電気治療器を提供する。【解決手段】本実施形態に係る電気治療器は、直流の電気信号を生成する生成部と、先端部が突出した複数の電極を２次元状に配置した第１電極部であって、被検体の皮膚表面に配置され、被検体に電気信号を非侵襲に伝導する第１電極部と、第１電極部と対となり、先端部が突出した複数の電極を２次元状に配置した第２電極部であって、被検体の皮膚表面に配置され、被検体に電気信号を非侵襲に伝導する第２電極部と、被検体の部位に応じて、第１電極部及び第２電極部が伝導する電気信号の強度を上げる第１範囲を変更する制御を行う制御部と、を備える。【選択図】図１
2019213794.tif 000002
【特許請求の範囲】
【請求項１】
被検体に電気信号を伝導する電気治療器であって、
直流の電気信号を生成する生成部と、
先端部が突出した複数の電極を２次元状に配置した第１電極部であって、前記被検体の皮膚表面に配置され、前記被検体に前記電気信号を非侵襲に伝導する第１電極部と、
前記第１電極部と対となり、先端部が突出した複数の電極を２次元状に配置した第２電極部であって、前記被検体の皮膚表面に配置され、前記被検体に前記電気信号を非侵襲に伝導する第２電極部と、
前記被検体の部位に応じて、前記第１電極部及び前記第２電極部が伝導する電気信号の強度を上げる第１範囲を変更する制御を行う制御部と、
を備える電気治療器。
【請求項２】
前記制御部は、前記被検体の部位に応じて、前記第１範囲の中で更に強度を変更する第２範囲を変更する制御を行う請求項１に記載の電気治療器。
【請求項３】
前記制御部は、前記第１電極部及び前記第２電極部における前記第１範囲外から前記電気信号を出力しない制御を行う、請求項１又は２に記載の電気治療器。
【請求項４】
前記直流の電気信号は、周波数が異なる複数の信号により構成されており、
前記制御部は、前記被検体の症例に応じて、前記周波数の組み合わせを変更する制御を行う、請求項１乃至３のいずれか一項に記載の電気治療器。
【請求項５】
前記電気信号の特性を選択する第１選択部を更に備え、
前記生成部は、前記第１選択部による選択に応じて、前記電気信号に含まれる信号の周波数帯を変更する、請求項１乃至４のいずれか一項に記載の電気治療器。
【請求項６】
前記第１選択部は、副交感神経を優位にする第１モードに対応する電気信号の特性と、交感神経を優位にする第２モードに対応する電気信号の特性とを、選択する請求項５に記載の電気治療器。
【請求項７】
前記第１モードに対応する前記電気信号の１０Ｈｚ未満の信号の強度平均値は、周波数が１０Ｈｚ以上の信号の強度平均値よりも大きく、
前記第２モードに対応する前記電気信号の１０Ｈｚ未満の信号の強度平均値は、周波数が１０Ｈｚ以上の信号の強度平均値よりも小さい、請求項６に記載の電気治療器。
【請求項８】
前記第１モードに対応する前記電気信号は、少なくとも周波数が３、５、及び８Ｈｚの信号を用いて構成され、
前記第２モードに対応する前記電気信号は、少なくとも周波数が１３、１５、及び１８Ｈｚの信号を用いて構成される、請求項６又は７に記載の電気治療器。
【請求項９】
前記第１電極部の複数の電極は正極と負極とが交互に配置されており、
前記第２電極部の複数の電極は、前記第１電極部の正極と対になる負極、前記第１電極部の負極と対になる正極が交互に配置されており、
前記制御部は、前記第１電極部の複数の電極、および前記第１電極部の前記複数の電極に対応する前記第２電極部の複数の電極に対して順に前記電気信号を伝導させる制御を行う、請求項１乃至８のいずれか一項に記載の電気治療器。
【請求項１０】
前記第１電極部の複数の電極、および前記第２電極部の複数の電極の中で前記電気信号を出力する電極を切り替える切替部と、
前記第１電極部の複数の電極、および前記第２電極部の複数の電極の内の使用する電極の情報を複数の部位それぞれに対応させて記憶する記憶部と
前記複数の部位の中から治療対象の部位を選択する第２選択部と、を更に備え、
前記制御部は、前記第２選択部により選択された部位に対応する前記電極の情報に基づき、前記電気信号を前記切替部に出力させる制御を行う、請求項１乃至９のいずれか一項に記載の電気治療器。
【請求項１１】
前記電極における先端部の径は０．０４ｍｍ以上０．１５ｍｍ以下である請求項１乃至１０のいずれか一項に記載の電気治療器。
【請求項１２】
前記第１範囲及び前記第２範囲の内の少なくとも前記第１範囲を表示するタッチパネルを更に備え、
前記制御部は、前記タッチパネルへの操作に応じて前記第１範囲及び前記第２範囲の内の少なくとも前記第１範囲を変更する、請求項２に記載の電気治療器。
【請求項１３】
前記制御部は、副交感神経を優位にする第１モードと、交感神経を優位にする第２モードの選択に応じて前記第１範囲及び前記第２範囲の内の少なくとも前記第２範囲を変更する、請求項２に記載の電気治療器。  
【請求項１４】
先端部が突出した複数の電極を２次元状に配置した第１電極部であって、被検体の皮膚表面に配置され、前記被検体に直流の電気信号を非侵襲に伝導する第１電極部と、
前記第１電極部と対となり、先端部が突出した複数の電極を２次元状に配置した第２電極部であって、前記被検体の皮膚表面に配置され、前記被検体に前記電気信号を非侵襲に伝導する第２電極部とに電気信号を伝導する電気治療器の制御方法であって、
前記電気信号を生成する工程と、
前記被検体の部位に応じて、前記第１電極部及び前記第２電極部が伝導する前記電気信号の強度を上げる第１範囲を変更する工程と、
を備える電気治療器の制御方法。
【発明の詳細な説明】
【技術分野】
【０００１】
本実施形態は、電気治療器、及び電気治療器の制御方法に関する。
【背景技術】
【０００２】
面状の電極を用いて人体局所の疼痛発生部に対し電気刺激を与え、疼痛の消退、軽減を図る電気治療器が知られている。このような電気治療器では、電気刺激により筋肉を運動させることで、疼痛発生部をほぐすなどの効果が得られ、患部のコリや痛みの緩和が図られる。
【０００３】
一方で、先端部が突出した電極を用いて例えば神経線維に沿って非侵襲に電気信号を与えると、痛みなどに対する感覚などを変化させ、症状を改善させることがわかってきている。
【先行技術文献】
【特許文献】
【０００４】
【特許文献１】特開２０１５−２３１５１１号公報
【発明の概要】
【発明が解決しようとする課題】
【０００５】
本発明の目的は、電気信号による治療効果を向上可能な電気治療器を提供することである。
【課題を解決するための手段】
【０００６】
本実施形態に係る電気治療器は、
直流の電気信号を生成する生成部と、
先端部が突出した複数の電極を２次元状に配置した第１電極部であって、被検体の皮膚表面に配置され、被検体に電気信号を非侵襲に伝導する第１電極部と、
第１電極部と対となり、先端部が突出した複数の電極を２次元状に配置した第２電極部であって、被検体の皮膚表面に配置され、被検体に電気信号を非侵襲に伝導する第２電極部と、
被検体の部位に応じて、第１電極部及び第２電極部が伝導する電気信号の強度を上げる第１範囲を変更する制御を行う制御部と、
を備える。
本実施形態に係る電気治療器の制御方法は、
先端部が突出した複数の電極を２次元状に配置した第１電極部であって、被検体の皮膚表面に配置され、被検体に直流の電気信号を非侵襲に伝導する第１電極部と、
第１電極部と対となり、先端部が突出した複数の電極を２次元状に配置した第２電極部であって、被検体の皮膚表面に配置され、被検体に電気信号を非侵襲に伝導する第２電極部に電気信号を伝導する電気治療器の制御方法であって、
電気信号を生成する工程と、
被検体の部位に応じて、第１電極部及び第２電極部が伝導する電気信号の強度を上げる第１範囲を変更する工程と、
を備える。
【発明の効果】
【０００７】
本実施形態によれば、電気信号による治療効果を向上可能な電気治療器を提供することができる。
【図面の簡単な説明】
【０００８】
【図１】一実施形態に係る電気治療器の全体構成を示す図。
【図２】増幅変調回路の構成の一例を示す図。
【図３】第１〜第ｎ変調回路が生成する信号波形の一例を示す図。
【図４】シートタイプの第１電極部の構成例を示す図。
【図５】シートタイプの第２電極部の構成例を示す図。
【図６】電極の構成を示す説明図。
【図７】第１モード、及び第２モードにそれぞれ関連付けられたパラメータ例を示す図。
【図８】記憶回路に記憶される範囲パラメータ、強度パラメータ、及び電極タイプパラメータを概念的に説明する図。
【図９】部位が心臓である場合の前側の第１範囲、及び第２範囲を示す図。
【図１０】部位が心臓である場合の後側の第１範囲、及び第２範囲を示す図。
【図１１】部位が腎臓である場合の前側の第１範囲、及び第２範囲を示す図。
【図１２】部位が腎臓である場合の後側の第１範囲、及び第２範囲を示す図。
【図１３】部位が膵臓である場合の前側の第１範囲、及び第２範囲を示す図。
【図１４】部位が膵臓である場合の後側の第１範囲、及び第２範囲を示す図。
【図１５】第２モード且つ膵臓の場合の前側の第１範囲、及び第２範囲を示す図。
【図１６】第２モード且つ膵臓の場合の後側の第１範囲、及び第２範囲を示す図。
【図１７】部位が気管支である場合の前側の第１範囲を示す図。
【図１８】部位が気管支である場合の後側の第１範囲を示す図。
【図１９】部位が脚部である場合の第１電極、及び第２電極の使用電極位置を示す図。
【図２０】部位が頭部である場合の第１電極、及び第２電極の使用電極位置を示す図。
【図２１】円形パッドの使用例を示す図。
【図２２】操作板上に構成される入力回路とタッチパネルの一例を示す図。
【図２３】ベルトタイプの電極の表示画像例を示す図。
【図２４】円形パッドタイプの電極の表示画像例を示す図。
【図２５】制御回路の詳細な構成を示すブロック図。
【図２６】制御回路の制御処理の一例を示すフローチャート。
【図２７】第１変形例に係る電気治療器の構成例を示す図。
【発明を実施するための形態】
【０００９】
以下、本発明の実施形態に係る電気治療器について、図面を参照しながら詳細に説明する。なお、以下に示す実施形態は、本発明の実施形態の一例であって、本発明はこれらの実施形態に限定して解釈されるものではない。また、本実施形態で参照する図面において、同一部分又は同様な機能を有する部分には同一の符号又は類似の符号を付し、その繰り返しの説明は省略する場合がある。また、図面の寸法比率は説明の都合上実際の比率とは異なる場合や、構成の一部が図面から省略される場合がある。
（一実施形態）
【００１０】
まず、図１に基づき、本実施形態に係る電気治療器１の全体構成を説明する。図１は、一実施形態に係る電気治療器１の全体構成を示す図である。この図１に示すように、電気治療器１は、先端部が突出した電極により非侵襲に電気信号を被検体に伝導する治療器である。すなわち、電気治療器１は、生成回路１００と、切替回路１５０と、第１電極部２００ａと、第２電極部２００ｂと、ＯＮ／ＯＦＦ回路３００と、タイマー４００と、記憶回路５００と、入力回路６００と、タッチパネル６５０と、制御回路７００とを、備えて構成されている。また、各回路１００、１５０、４００、５００、６００、６５０、７００はバス１ａを介して制御信号を入出力している。
【００１１】
生成回路１００は、周波数の異なる複数の信号により構成される電気信号を生成する回路である。生成回路１００の詳細は後述する。なお、本実施形態に係る生成回路１００が生成部に対応する。
【００１２】
切替回路１５０は、正極側の複数のスイッチング素子１５０ａと、負極側の複数のスイッチング素子１５０ｂと、を有している。スイッチング素子１５０ａ、１５０ｂは例えば半導体スイッチング素子であり、シリコン（Ｓｉ）やシリコンカーバイド（ＳｉＣ）を使用したＩＧＢＴ、ＭＯＳＦＥＴなどである。切替回路１５０の正極側の複数のスイッチング素子１５０ａは、増幅変調回路１０６の正極の端子１０８に接続され、負極側の複数のスイッチング素子１５０ｂは、増幅変調回路１０６の負極の端子１１０に接続されている。切替回路１５０は、制御回路７００から入力された切替信号に従い、複数のスイッチング素子１５０ａ、１５０ｂの中から導電状態にするスイッチング素子１５０ａ、１５０ｂの組み合わせを切り換える。なお、本実施形態に係る切替回路１５０が切替部に対応する。
【００１３】
第１電極部２００ａは、先端部が突出した複数の正極の電極２０２ａと、先端部が突出した複数の負極の電極２０４ａとを例えば２次元状に配置した電極部である。第１電極部２００ａは、被検体の皮膚表面に配置され、被検体に電気信号を非侵襲に伝導する。複数の電極２０２ａ、２０４ａは正極の電極２０２ａと負極の電極２０４ａとが交互に配置されている。
【００１４】
第２電極部２００ｂは、第１電極部２００ａと同等の構成であり、先端部が突出した複数の負極の電極２０２ｂと、先端部が突出した複数の正極の電極２０４ｂとを２次元状に配置した電極部である。第２電極部２００ｂは、被検体の皮膚表面に配置され、被検体に電気信号を非侵襲に伝導する。第２電極部２００ｂの複数の電極は、第１電極部２００ａの正極の電極２０２ａと対になる負極の電極２０２ｂ、第１電極部２００ａの負極の電極２０４ａと対になる正極の電極２０４ｂ、が交互に配置されている。電極２０２ａ、２０２ｂ、２０４ａ、２０４ｂの詳細な構成は後述する。
【００１５】
ＯＮ／ＯＦＦ回路３００は、生成回路１００の電源回路１０２をＯＮ／ＯＦＦする。例えば、電源回路１０２のＯＮ／ＯＦＦは、押しボタン形式のＯＮ／ＯＦＦスイッチで行われ、ボタンが押し下げられると電源回路１０２はＯＮになる。一方で、ボタンが押し上げられると電源回路１０２はＯＦＦになる。
【００１６】
タイマー４００は、電気信号の通電時間を設定する。タイマー４００は、タイマー用ボタンを有しており、タイマー４００の通電時間の設定は、タイマー用ボタンにより行われる。タイマー用ボタンで設定された時間に従い、制御回路７００により電気信号の通電時間が制御される。例えば、タイマー用ボタンにより５分が設定されている場合、制御回路７００は、通電時間が５分に達した時点で電気信号を遮断する。
【００１７】
記憶回路５００は、磁気的もしくは光学的記録媒体または半導体メモリなどの、読み取り可能な記録媒体を含んで構成される。この記憶回路５００は、識別情報に対応させて電気信号を生成するための信号パラメータ、第１電極部２００ａ、及び第２電極部２００ｂが伝導する電気信号の強度を上げる第１範囲及び第１範囲の中で更に強度を変更する第２範囲示す範囲パラメータ、及び電極の種類を示す電極タイプパラメータを記憶している。
【００１８】
信号パラメータ、範囲パラメータ、及び電極タイプパラメータはそれぞれ複数である。また、記憶回路５００は、制御回路７００にて行われる各処理機能をコンピュータによって実行可能なプログラム形態で、記憶している。記憶回路５００に記憶される情報の詳細も後述する。
【００１９】
入力回路６００は、電気治療器１を操作するための情報を入力する回路である。入力回路６００は、信号選択回路６０２と、調整回路６０４と、位置選択回路６０６と、開始回路６０８とを、有している。
【００２０】
信号選択回路６０２は、予め用意されている複数種類の信号パラメータの中から使用する信号パラメータを選択する。すなわち、この信号選択回路６０２は、電気信号の特性を選択する。後述するように、信号パラメータを識別する識別情報が、複数の治療方法それぞれに関連付けられている。このため、選択回路６０２は、操作者が複数の治療方法の中から治療方法を選択することで、複数種類の電気信号パラメータの中から選択された治療方法に対応する信号パラメータを選択する。より具体的には、信号選択回路６０２は、副交感神経を優位にする第１モードに対応する電気信号の特性と、交感神経を優位にする第２モードに対応する電気信号の特性とを、選択している。このように、治療方法の中から対象となる治療方法を選択することで、複数種類の電気信号の中から治療に用いる電気信号の設定が選択されるので、操作者にとっては操作が簡便になる。なお、本実施形態に係る信号選択回路６０２が第１選択部に対応する。
【００２１】
調整回路６０４は、操作者の操作に従い、増幅変調回路１０６が生成する周波数が異なる複数の信号のそれぞれの振幅を調整する回路である。これにより、操作者は、調整回路６０４により、増幅変調回路１０６が生成する電気信号の特性を調整できる。
【００２２】
位置選択回路６０６は、予め用意されている複数種類の範囲パラメータ、強度パラメータ及び電極タイプパラメータの中から使用する範囲パラメータ、強度パラメータ及び電極タイプパラメータを選択する。後述するように、範囲パラメータ、強度パラメータ及び電極タイプパラメータを識別する識別情報が、複数の部位それぞれに関連付けられている。このため、位置選択回路６０６は、操作者が複数の部位の中から治療する部位を選択することで、複数種類の範囲パラメータ、強度パラメータ、及び電極タイプパラメータの中から選択された部位に対応する範囲パラメータ、強度パラメータ及び電極タイプパラメータを選択する。このように、複数の対象部位の中から治療対象となる部位を選択することで、複数種類の範囲パラメータ、強度パラメータ及び電極タイプパラメータの中から治療に用いる範囲パラメータ、強度パラメータ及び電極タイプパラメータが選択されるので、操作者にとっては操作が簡便になる。なお、本実施形態に係る位置選択回路６０６が第２選択部に対応する。
【００２３】
開始回路６０８は、電気信号の通電を開始する。開始回路６０８は、開始用ボタンを有しており、第１電極部２００ａ、及び第２電極部２００ｂへの通電の開始は、開始用ボタンを押し下げることにより行われる。
【００２４】
タッチパネル６５０は、位置選択回路６０６で選択された範囲パラメータ、及び電極タイプパラメータに基づく画像を表示する。より具体的には、タッチパネル６５０は、選択された範囲パラメータ、及び電極タイプパラメータに基づき、第１電極部２００ａ、及び第２電極部２００ｂが伝導する電気信号の強度を上げる第１範囲及び第１範囲の中で更に強度を変更する第２範囲を表示する。より具体的には、第１範囲及び第１範囲の中で更に強度を変更する第２範囲を第１電極部２００ａ及び第２電極部２００ｂの内の少なくとも第１電極部２００ａの形状と共に表示する。また、操作者によるタッチ操作が可能であり、タッチ操作に応じた制御情報を制御回路７００に出力する。
【００２５】
なお、本実施形態における治療方法は、例えば、副交感神経を優位にさせる治療方法、交感神経を優位にさせる治療方法である。また、対象部位は、特に限定されないが、心臓、腎臓、膵臓、気管支、脚部、頭部、一般部位などである。
【００２６】
制御回路７００は、プロセッサを含んで構成され、電気治療器１内の各回路を制御する。より具体的には、制御回路７００には、選択された治療方法に対応する識別情報番号（後述の図７）に示す信号パラメータが信号選択回路６０２により記憶回路５００から選択され、制御回路７００に出力される。同様に、制御回路７００には、選択された部位に対応する識別情報番号（後述の図８）に示す範囲パラメータ、強度パラメータ及び電極タイプパラメータが位置選択回路６０６により記憶回路５００から選択され、制御回路７００に出力される。次に、制御回路７００は、これらのパラメータに基づく電気信号を増幅変調回路１０６に生成させる制御と、第１電極部２００ａ及び第１電極部２００ｂの電極２０２ａ、２０２ｂを順に導通状態にする制御を行う。すなわち、この制御回路７００は、切替回路１５０を制御することで、電気信号を導通させる電極２０２ａ、２０２ｂ、２０４ａ、２０４ｂを変更する。また、制御回路７００は、調整回路６０４から入力される信号に応じて、増幅変調回路１０６の制御を行う。
【００２７】
また、制御回路７００は、タッチパネル６５０への操作に応じて第１電極部２００ａ、及び第２電極部２００ｂが伝導する電気信号の強度を上げる第１範囲、及び第１範囲の中で更に強度を変更する第２範囲を変更する。本実施形態に係る制御回路７００が制御部に対応する。
【００２８】
なお、被検体は、人であり、本実施形態では人を対象として説明するが、被検体は人に限定されない。例えば、被検体は、馬、牛、犬などのほ乳類でもよい。また、本実施形態では、離散的に周波数が異なる複数の信号により構成される電気信号を説明するが、連続的に周波数が異なる複数の信号により構成される電気信号を用いてもよい。
【００２９】
ここで、生成回路１００の詳細な構成を説明する。生成回路１００は、電源回路１０２と、発振回路１０４と、増幅変調回路１０６とを、備えて構成されている。なお、本実施形態に係る生成回路１００が生成部に対応する。
【００３０】
電源回路１０２は、外部電源から入力された電力を発振回路１０４、増幅変調回路１０６、切替回路１５０、タイマー４００、記憶回路５００、入力回路６００、及び制御回路７００、などに供給する回路である。電源回路１０２は、例えばＡＣ―ＤＣ変換器であり、商用の交流電力を直流電力に変換する。
【００３１】
発振回路１０４は、例えば正弦波の搬送波を発生する回路である。この発振回路１０４は、増幅変調回路１０６に接続され、発生させた搬送波を増幅変調回路１０６に供給する。
【００３２】
増幅変調回路１０６は、制御回路７００から入力された強度値を示す信号に従い、発振回路１０４から入力された搬送波を変調し、周波数が異なる複数の信号を生成して、複数の信号を増幅するとともに、加算する回路である。本実施形態において、増幅変調回路１０６が生成する信号は、例えば、信号の値がプラスの範囲で周期的に変動する台形状のパルス波である。なお、増幅変調回路１０６が生成する信号は、台形状のパルス波に限定されず、信号の値がプラスの範囲で周期的に変動する信号であればよい。増幅変調回路１０６が生成する信号は、例えば、所定の周期で振幅が変動する三角波、鋸波、矩形波、円形波、サイン波などでもよい。この増幅変調回路１０６が生成した電気信号は、端子１０８、１１０に供給される。
【００３３】
本実施形態で用いる強度値は、増幅変調回路１０６で生成される信号の振幅の二乗を意味し、電気信号を生成するためのパラメータとして用いられる。このパラメータの値は、上述のように、制御回路７００から増幅変調回路１０６に強度値を示す信号として入力される。例えば、周波数が２Ｈｚの信号に対するパラメータの値が１６であり、周波数が６Ｈｚの信号に対するパラメータの値が２５であり、他の周波数の信号に対するパラメータの値が０である場合、増幅変調回路１０６は、周波数が２Ｈｚであり振幅が４の信号と周波数が６Ｈｚであり振幅が５の信号とを生成し、生成したこれらの信号を加算する。
【００３４】
この様に、増幅変調回路１０６は、制御回路７００から入力されたパラメータの値に従い、電気信号を生成する。これから分かるように、制御回路７００は、増幅変調回路１０６に入力するパラメータの値を変更することで、増幅変調回路１０６が生成する電気信号の特性を変更する。
【００３５】
次に、図２に基づき、本実施形態における増幅変調回路１０６の構成例をより詳細に説明する。図２は、増幅変調回路１０６の構成の一例を示す図であり、この図２に示すように、増幅変調回路１０６は、第１〜第ｎ増幅変調回路１０６１〜１０６ｎと、加算回路１０７とを備えて構成されている。第１〜第ｎ増幅変調回路１０６１〜１０６ｎは、発振回路１０４にぞれぞれ並列に接続されており、入力された搬送波をそれぞれ変調し、パルス波を生成する。ここでは、例えばｎ＝１１であり、第１〜第ｎ増幅変調回路１０６１〜１０６ｎのそれぞれは１、３、５、８、１０、１１、１２、１３、１５、１７、１９Ｈｚに対応している。これにより、例えば第１増幅変調回路１０６１は、制御回路７００から入力された１Ｈｚに対応する強度値に応じて、１Ｈｚの信号を生成する。同様に、例えば第２増幅変調回路１０６２は、制御回路７００から入力された３Ｈｚに対応する強度値に応じて、３Ｈｚの信号を生成する。同様に、例えば第３増幅変調回路１０６３は、制御回路７００から入力された５Ｈｚに対応する強度値に応じて、５Ｈｚの信号を生成する。同様に、例えば第１１増幅変調回路１０６１１は、制御回路７００から入力された１９Ｈｚに対応する強度値に応じて、１９Ｈｚの信号を生成する。
【００３６】
加算回路１０７は、第１〜第ｎ増幅変調回路１０６１〜１０６ｎが生成した信号を加算する。この加算回路１０７は、加算した信号を端子１０８、１１０（図１）に供給する。
【００３７】
図３は、第１〜第ｎ増幅変調回路１０６１〜１０６ｎが生成する信号波形の一例を示す図である。この図３に示すように、第１〜第ｎ増幅変調回路１０６１〜１０６ｎが生成する信号の一例は、台形状のパルス波である。ここでのパルス波は、ＯＦＦ時間が例えば５〜７ｍｓと短く、ＯＦＦ時間がＯＮ時間に対し１／１０〜１／７程度となっている。振幅は、例えば０〜７０Ｖの範囲であり、制御回路７００から入力される強度値に応じて変更される。上述のように振幅の二乗が強度値である。なお、ＯＮ／ＯＦＦの比率は周波数によって変化するが、ＯＦＦ時間は極力短く概ね上記範囲に設定される。また、第１〜第ｎ増幅変調回路１０６１〜１０６ｎが生成する信号にオフセット電圧を加えてもよい。
【００３８】
ここで、図４乃至図６に基づき第１電極部２００ａ及び第２電極部２００ｂの詳細な構成例を説明する。図４は、シートタイプの第１電極部２００ａの構成例を示す図である。図４に示すように第１電極部２００ａは、２次元状のシートに正極の電極２０２ａと負極の電極２０４ａが格子模様を構成するように配置されている。すなわち、正極の電極２０２ａと負極の電極２０４ａが交互に配置されている。より詳細には、２次元状のシートは、例えば縦１２６ミリメートルであり、横１５１ミリメートルである。電極の絶縁基材間の間隔は、例えば縦２ミリメートルであり、横１ミリメートルである。
【００３９】
図５は、シートタイプの第２電極部２００ｂの構成例を示す図である。図５に示すように、第２電極部２００ｂは、２次元状のシートに正極の電極２０２ｂと負極の電極２０４ｂとが格子模様を構成するように配置されている。また、第１電極部２００ａの正極の電極２０２ａと負極の電極２０４ａとに対応する位置に第２電極部２００ｂの負極の電極２０２ｂと正極の電極２０４ｂとが交互に配置されている。これは、出願人の臨床現場での治療経験に基づいており、第１電極部２００ａの正極の電極２０２ａと負極の電極２０４ａに対応する位置に第２電極部２００ｂの負極の電極２０２ｂと正極の電極２０４ｂが交互に配置されることにより、より治療効果があがることによる。
【００４０】
図６は、電極２０２ａ、２０２ｂ、２０４ａ、２０４ｂの構成を示す説明図である。この図６に示すように、電極２０２ａ、２０２ｂ、２０４ａ、２０４ｂは、絶縁基材２０３ａと、電極部２０３ｂとを備えて構成されている。
【００４１】
絶縁基材２０３ａは、例えば底面の直径５ｍｍ、高さ４ｍｍのお椀形となっており、合成樹脂等の絶縁材により形成さている。電極部２０３ｂは、絶縁基材２０３ａから先端部が突出した電極である。この電極部２０３ｂは、例えばテンレス製であり、絶縁基材２０３ａ内に配置される。また、電極部２０３ｂは、底面側の端部２０３ｃと、先端部２０３ｄとを、備えて構成されている。先端部２０３ｄの先端側の直径は、例えば直径が０．０８ｍｍであり、人の肌に非侵襲に接触させられる。電極部２０３ｂの底面側の端部２０３ｃの直径は、例えば直径が１ｍｍであり、コードの一端側が接続される。コードの他端側は、切替回路１５０のスイッチング素子１５０ａ、１５０ｂに接続される。なお、先端部２０３ｄの形状は、円、四角形、５角形などの多角形でもよく、その面積は、円換算で定義される。例えば、先端の径を０．０８ｍｍとして表記する場合の面積は、直径０．０８ｍｍの円の面積相当を意味する。
【００４２】
次に、図７に基づき、記憶回路５００に記憶される電気信号のパラメータの例を説明する。図７は、副交感神経を優位にする第１モード、及び交感神経を優位にする第２モードにそれぞれ関連付けられたパラメータ例を示す図である。つまり、識別情報である識別Ｎ０．１が副交感神経を優位にする第１モードに対応する電気信号の特性を示し、識別Ｎ０．２が交感神経を優位にする第２モードに対応する電気信号の特性を示している。
【００４３】
また、この図７では、強度値を０から１０の数値に正規化し、値を割り振り直してある。すなわち、例えば数値１０は、増幅変調回路１０６が生成しうる信号の最大の強度値を示している。同様に、例えば数値９は、最大の強度値の０．９倍を示し、例えば数値８は、最大の強度値の０．８倍を示し、例えば数値０は、最大の強度値の０．０倍を示している。つまり、数値０の場合には、信号が出力されないことを示している。
【００４４】
これらのパラメータから分かる様に、副交感神経を優位にする第１モードに対応する電気信号では、例えば、電気信号の１０Ｈｚ未満の信号の強度平均値は、周波数が１０Ｈｚ以上の信号の強度平均値よりも大きく設定される。これは、出願人の臨床現場での治療経験に基づいており、副交感神経を優位にする治療には、主として１０Ｈｚ以下の信号が効果的であることによる。より具体的には、例えば３、５、及び８Ｈｚなどの組み合わせは、副交感神経を優位にする周波数である。
【００４５】
一方で、交感神経を優位にする第２モードに対応する電気信号では、例えば、電気信号の１０Ｈｚ未満の信号の強度平均値は、周波数が１０Ｈｚ以上の信号の強度平均値よりも小さく設定される。これは、出願人の臨床現場での治療経験に基づいており、交感神経を優位にする治療には、主として１０Ｈｚ以上であり２０Ｈｚ以下の信号が効果的であることによる。より具体的には、例えば１３、１５、及び１８Ｈｚなどの組み合わせは、交感神経を優位にする周波数である。
【００４６】
次に、図８乃至図２０に基づき、記憶回路５００に記憶される範囲パラメータ、強度パラメータ、及び電極タイプパラメータのより詳細な例を説明する。図８は、記憶回路５００に記憶される範囲パラメータ、強度パラメータ、及び電極タイプパラメータを概念的に説明する図である。範囲パラメータは、第１電極部２００ａ、及び第２電極部２００ｂが伝導する電気信号の強度を上げる第１範囲、及び第１範囲の中で更に強度を変更する第２範囲を規定する。強度パラメータは、第２範囲を除く第１範囲から出力する信号の強度と、第２範囲から出力する信号の強度と、の比率を示す。電極タイプパラメータは使用する電極のタイプを示す。
【００４７】
図９は、対象部位が心臓である場合の前側の第１電極部２００ａの第１範囲２０６ａ、及び第１範囲２０６ａ内の第２範囲２０８ａ、２１０ａを示す図である。図９に示すように、記憶回路５００は、対象部位が心臓である場合の範囲パラメータとして、第１範囲２０６ａ、及び第２範囲２０８ａ、２１０ａを記憶している。
【００４８】
図１０は、対象部位が心臓である場合の後側の第２電極部２００ｂの第１範囲２０６ｂ、及び第１範囲２０６ｂ内の第２範囲２０８ｂ、２１０ｂを示す図である。図１０に示すように、記憶回路５００は、対象部位が心臓である場合の範囲パラメータとして、第１範囲２０６ｂ、及び第２範囲２０８ｂ、２１０ｂを記憶している。上述のように、後側の第２電極部２００ｂの電極位置は、前側の第１電極部２００ａの使用電極位置と対となる位置関係にある。このため、前側の第１電極部２００ａの第１範囲２０６ａ、及び第２範囲２０８ａ、２１０ａが設定されると、後側の第２電極部２００ｂの第１範囲２０６ｂ、及び第２範囲２０８ｂ、２１０ｂを設定することが可能となる。これから分かるように、前側の第１電極部２００ａの第１範囲２０６ａ、及び第２範囲２０８ａ、２１０ａと、後側の第２電極部２００ｂの第１範囲２０６ｂ、及び第２範囲２０８ｂ、２１０ｂとの内の一方を記憶するように構成してもよい。
【００４９】
図９で示すように、制御回路７００は、第１電極部２００ａの場合、第１範囲２０６ａ内の１段目の右側の電極から順に電気信号を流し、次に２段目の右側の電極から順に電気信号を流す処理を行う。また、制御回路７００は、第２範囲２０８ａ、２１０ａの電極に対しては強度パラメータ（図８）に従い、１．２倍の強度の電気信号を流す制御を行う。このように、同じ部位の中でも信号強度を変更することが可能であり、より治療効果をあげることができる。なお、本実施形態では、第１範囲２０６ａ外の電極から流す電気信号を０としているが、これに限定されず、微少な電気信号を流してもよい。
【００５０】
図１０で示すように、制御回路７００は第２電極部２００ｂの場合、第１範囲２０６ｂ内の１段目の左側の電極から順に電気信号を流し、次に２段目の左側の電極から順に電気信号を流す処理を行う。また、制御回路７００は、第２範囲２０８ｂ、２１０ｂの電極に対しては強度パラメータ（図８）に従い、１．２倍の強度の電気信号を流す制御を行う。なお、本実施形態に係る範囲パラメータとして、第１範囲２０６ａ、２０６ｂ、及び第２範囲２０８ａ、２１０ａ、２０８ｂ、２１０ｂを設定しているが、これに限定されず第１範囲２０６ａ、２０６ｂのみを設定してもよい。第２範囲２０８ａ、２１０ａ、２０８ｂ、２１０ｂを設定せずとも十分な治療効果が得られるが、第２範囲２０８ａ、２１０ａ、２０８ｂ、２１０ｂを設定することにより、より対象部位に適したより高い治療効果が得られる場合がある。
【００５１】
図１１は、対象部位が腎臓である場合の前側の第１電極部２００ａの第１範囲２１２ａ、及び第１範囲２１２ａ内の第２範囲２１４ａを示す図である。図１１に示すように、記憶回路５００は、対象部位が腎臓である場合の範囲パラメータとして、第１範囲２１２ａ、及び第２範囲２１４ａを記憶している。
【００５２】
図１２は、対象部位が腎臓である場合の後側の第２電極部２００ｂの第１範囲２１２ｂ、及び第１範囲２１２ｂ内の第２範囲２１４ｂを示す図である。図１２に示すように、記憶回路５００は、対象部位が腎臓である場合の範囲パラメータとして、第１範囲２１２ｂ、及び第２範囲２１４ｂを記憶している。
【００５３】
図１１で示すように、制御回路７００は、対象部位が腎臓である場合、第１範囲２１２ａ内の１段目の右側の電極から順に電気信号を流し、次に２段目の右側の電極から順に電気信号を流す処理を行う。また、制御回路７００は、第２範囲２１４ａの電極に対しては強度パラメータ（図８）に従い、１．５倍の強度の電気信号を流す制御を行う。
【００５４】
図１２で示すように、制御回路７００、対象部位が腎臓である場合、第１範囲２１２ｂ内の１段目の左側の電極から順に電気信号を流し、次に２段目の左側の電極から順に電気信号を流す処理を行う。また、制御回路７００は、第２範囲２１４ｂの電極に対しては強度パラメータ（図８）に従い、１．５倍の強度の電気信号を流す制御を行う。
【００５５】
また、範囲パラメータとしての第１範囲及び第２範囲に関して、副交感神経を優位にする第１モードと、交感神経を優位にする第２モードとで範囲を変更してもよい。例えば、図１３及び図１４は、第１モードの場合の第１範囲及び第２範囲を示し、図１５及び図１６は、第２モードの場合の第１範囲及び第２範囲を示している。ここでは、第１モードの場合と、第２モードの場合とで第２範囲を異ならせている。
【００５６】
図１３は、対象部位が膵臓であり且つ第１モードの場合の前側の第１電極部２００ａの第１範囲２１６ａ、及び第１範囲２１６内の第２範囲２１８ａ、２２０ａを示す図である。図１３に示すように、記憶回路５００は、対象部位が膵臓であり且つ第１モードの場合の範囲パラメータとして、第１範囲２１６ａ、及び第２範囲２１８ａ、２２０ａを記憶している。
【００５７】
図１４は、対象部位が膵臓であり且つ第１モードの場合の後側の第２電極部２００ｂの第１範囲２１６ｂ、及び第１範囲２１６ｂ内の第２範囲２１８ｂ、２２０ｂ示す図である。図１４に示すように、記憶回路５００は、対象部位が膵臓であり且つ第１モード場合の範囲パラメータとして、第１範囲２１６ｂ、及び第２範囲２１８ｂ、２２０ｂを記憶している。
【００５８】
図１３で示すように、制御回路７００は、対象部位が膵臓であり且つ第１モードの場合、第１範囲２１６ａ内の１段目の右側の電極から順に電気信号を流し、次に２段目の右側の電極から順に電気信号を流す処理を行う。また、制御回路７００は、第２範囲２１８ａ、２２０ａの電極に対しては強度パラメータ（図８）に従い、０．８倍の強度の電気信号を流す制御を行う。
【００５９】
図１４で示すように、制御回路７００は、対象部位が膵臓であり且つ第１モードの場合、第１範囲２１６ｂ内の１段目の左側の電極から順に電気信号を流し、次に２段目の左側の電極から順に電気信号を流す処理を行う。また、制御回路７００は、第２範囲２１８ｂ、２２０ｂの電極に対しては強度パラメータ（図８）に従い、０．８倍の強度の電気信号を流す制御を行う。  
【００６０】
図１５は、対象部位が膵臓であり且つ第２モードの場合の前側の第１電極部２００ａの第１範囲２１６ａ、及び第１範囲２１６ａ内の第２範囲２２２ａ、２２４ａを示す図である。図１５に示すように、記憶回路５００は、対象部位が膵臓であり且つ第２モードの場合の範囲パラメータとして、第１範囲２１６ａ、及び第２範囲２２２ａ、２２４ａを記憶している。
【００６１】
図１６は、対象部位が膵臓であり且つ第２モードの場合の後側の第２電極部２００ｂの第１範囲２１６ｂ、及び第２範囲２２２ｂ、２２４ｂを示す図である。図１６に示すように、記憶回路５００は、対象部位が膵臓であり且つ第１モード場合の範囲パラメータとして、第１範囲２１６ｂ、及び第１範囲２１６ｂ内の第２範囲２２２ｂ、２２４ｂを記憶している。
【００６２】
図１５で示すように、制御回路７００は、対象部位が膵臓であり且つ第２モードの場合、第１範囲２１６ａ内の１段目の右側の電極から順に電気信号を流し、次に２段目の右側の電極から順に電気信号を流す処理を行う。また、制御回路７００は、第２範囲２２２ａ、２２４ａの電極に対しては強度パラメータ（図８）に従い、０．８倍の強度の電気信号を流す制御を行う。
【００６３】
図１６で示すように、制御回路７００は、対象部位が膵臓であり且つ第２モードの場合、第１範囲２１６ｂ内の１段目の左側の電極から順に電気信号を流し、次に２段目の左側の電極から順に電気信号を流す処理を行う。また、制御回路７００は、第２範囲２２２ｂ、２２４ｂの電極に対しては強度パラメータ（図８）に従い、０．８倍の強度の電気信号を流す制御を行う。  
【００６４】
図１７は、対象部位が気管支の場合の前側の第１電極部２００ａの第１範囲２２６ａを示す図である。図１７に示すように、記憶回路５００は、対象部位が気管支である場合の範囲パラメータとして、第１範囲２２６ａを記憶している。これから分かるように、対象部位が気管支の場合、第２範囲は設定されていない。
【００６５】
図１８は、対象部位が気管支の場合の後側の第２電極部２００ｂの第１範囲２２６ｂを示す図である。図１８に示すように、記憶回路５００は、対象部位が気管支である場合の範囲パラメータとして、第１範囲２２６ｂを記憶している。
【００６６】
図１７で示すように、制御回路７００は、対象部位が気管支の場合、第１範囲２２６ａ内の１段目の右側の電極から順に電気信号を流し、次に２段目の右側の電極から順に電気信号を流す処理を行う。
【００６７】
図１８で示すように、制御回路７００は、対象部位が気管支の場合、第１範囲２２６ｂ内の１段目の左側の電極から順に電気信号を流し、次に２段目の左側の電極から順に電気信号を流す処理を行う。
【００６８】
図１９は、対象部位が脚部である場合の第１電極部２００ａ、及び第２電極部２００ｂの使用電極位置を示す図である。図１９に示すように、ベルトタイプの第１電極部２００ａは電極ベルト２１５ａ上に配置され、第２電極部２００ｂは電極ベルト２１５ｂ上に配置されている。
【００６９】
電極ベルト２１５ａ、２１５ｂは、柔軟部材にて形成された弾性ベルトである。電極２０２ａ、２０４ａの間隔、および電極２０２ｂ、２０４ｂの間隔は、例えば１４ｍｍピッチである。
【００７０】
記憶回路５００は、対象部位が脚部である場合の範囲パラメータとして、電極ベルト２１５ａ上の第１電極部２００ａの使用電極位置と、電極ベルト２１５ｂ上の第２電極２００ｂの使用電極位置とを、記憶している。
【００７１】
制御回路７００は、脚部の治療に第１電極部２００ａ、及び第２電極部２００ｂを使用する場合、図１９で示すように第１電極部２００ａに対しては左側端部の電極から右側の端部に向けて順に電気信号を流し、第２電極部２００ｂに対しても左側端部の電極から右側の端部に向けて順に電気信号を流す制御を行う。或いは、制御回路７００は、第１電極部２００ａに対しては右側端部の電極から左側の端部に向けて順に電気信号を流し、第２電極部２００ｂに対しても右側端部の電極から左側の端部に向けて順に電気信号を流す制御をおこなってもよい。
【００７２】
図２０は、対象部位が頭部である場合の第１電極部２００ａ、及び第２電極部２００ｂの使用電極位置を示す図である。図２０に示すように、円パッドタイプの第１電極部２００ａは円パッド２１７ａ上に配置され、第２電極部２００ｂは円パッド２１７ｂ上に配置されている。円パッド２１７ａ、２１７ｂは、例えば合成樹脂であり、ウレタン等の柔軟部材で形成されている。
【００７３】
記憶回路５００は、対象部位が頭部である場合の範囲パラメータとして、円パッド２１７ａの第１電極部２００ａの使用電極位置と使用順を記憶している。１から１２までの数字が電極２０２ａ、２０４ａの使用順を示している。また、記憶回路５００は、円パッド２１７ｂの第２電極部２００ｂの使用電極位置と使用順を記憶している。１から１２までの数字が電極２０２ｂ、２０４ｂの使用順を示している。
【００７４】
制御回路７００は、頭部の治療に第１電極部２００ａ、及び第２電極部２００ｂを使用する場合、図２０で示すように第１電極部２００ａに対しては１から１２の順に電気信号を流し、第２電極部２００ｂに対しても１から１２の順に電気信号を流す。
【００７５】
図２１は、円形パッド２１７ａ、２１７ｂの使用例を示す図である。ヘッドバンド２３０に円形パッド２１７ａ、２１７ｂが装着されている。このように、第１電極部２００ａに対しては１から１２の順に電気信号を流し、第２電極部２００ｂに対しても１から１２の順に電気信号を流すことで、交点２２２を中心に頭部の神経に電気信号を円形パッド２１７ａ、２１７ｂの対角線状に伝導することも可能である。
【００７６】
図２２に基づき、信号選択回路６０２、調整回路６０４、位置選択回路６０６、及びタッチパネル６５０のより詳細な構成例を説明する。図２２は、電気治療器１の操作板上に構成される入力回路６００とタッチパネル６５０の一例を示す図である。図２２に示すように、信号選択回路６０２は、症状選択ボタン６０２ａ、６０２ｂを有している。症状選択ボタン６０２ａには、識別番号１（図７）が関連付けられており、症状選択ボタン６０２ｂには、識別番号２（図７）が関連付けられている。これにより、ボタン６０２ａが押し下げられると識別番号１（図７）に示す信号パラメータが信号選択回路６０２により記憶回路５００から選択され、制御回路７００に出力される。同様に、ボタン６０２ｂが押し下げられると識別番号２（図７）に示す信号パラメータが信号選択回路６０２により記憶回路５００から選択され、制御回路７００に出力される。
【００７７】
調整回路６０４は、強度調整用の複数のボタン６０４ａを有している。強度調整用のボタンは、周波数毎に対応する信号の強度値を調整するために使用するボタンである。本実施形態では、１〜１９の数字のそれぞが周波数を示している。これらのボタン６０４ａは回転式であり、ボタン６０４ａを回転することで強度値が変更される。例えば、１の数字で示すボタンが回転されると、ボタンの回転量に応じた強度を示す信号が調整回路６０４により生成され、制御回路７００に出力される。続いて、制御回路７００の制御に従い、第１増幅変調回路１０６が出力する１Ｈｚの信号の強度が変更される。このように、強度調整用のボタンの変更に応じた電気信号が増幅変調回路１０６により生成される。これにより、被検体の症状に応じて、電気信号の特性変更を行うことが可能である。
【００７８】
位置選択回路６０６は、部位選択用のボタン６０６ａ〜６０６ｇを有している。これらの部位選択用のボタン６０６ａ〜６０６ｇのそれぞれには、識別番号３〜９（図８）が関連付けられてている。これにより、ボタン６０６ａ〜６０６ｇのいずれかが押し下げられると、押し下げられたボタンに対応する識別番号が示す範囲パラメータ、強度パラメータ、及び電極タイプパラメータが位置選択回路６０６により記憶回路５００から選択され、制御回路７００に出力される。
【００７９】
タッチパネル６５０は、部位選択用のボタン６０６ａ〜６０６ｇの中から選択されたボタンに対応する第１電極部２００ａ、及び第２電極部２００ｂの第１範囲、及び第２範囲を画像として表示する。また、操作者は、タッチパネル６５０に表示された電極を指示することにより第１範囲、及び第２範囲を選択できる。例えば、タッチパネル６５０に表示された第１範囲外の電極位置を指示することにより、第１範囲に変更することが可能となる。一方で、タッチパネル６５０に表示された第１範囲内の電極位置を指示することにより、第１範囲外に変更することが可能となる。また、タッチパネル６５０に表示された第１範囲内の電極位置を例えば長押しすることにより、第２範囲に変更することが可能となる。
【００８０】
図２３は、ベルトタイプの電極の表示画像例を示す図である。図２２に示すように、部位選択用のボタン６０６ｅが選択された場合に、ベルトタイプの電極の画像と使用される電極がタッチパネル６５０に表示される。
【００８１】
図２４は、円形パッドタイプの電極の表示画像例を示す図である。図２２に示すように、部位選択用のボタン６０６ｆが選択された場合に、円形パッドタイプの電極の画像と使用される電極がタッチパネル６５０に表示される。
【００８２】
図２２に示すように、ボタン６６０は、第２範囲内の強度を調整する回転式のボタンである。ボタン６６０を回転することで、強度を調整することができる。
【００８３】
ボタン６０８ａは、開始回路６０８（図１）が有する開始ボタンである。ボタン６０８ａが押されると第１電極部２００ａ、及び第２電極部２００ｂへの通電が開始される。
【００８４】
ボタン６７０は、保存ボタンである。ボタン６０４ａ、タッチパネル６５０、ボタン６６０の調整結果を新たなパラメータとして記憶回路５００に記録する場合に使用される。
【００８５】
また、操作板上には、ＯＮ／ＯＦＦ回路３００（図１）にＯＮ／ＯＦＦ信号を入力するＯＮ／ＯＦＦスイッチ３００ａが配置されている。さらにまた、操作板上には、タイマー４００（図１）の通電時間の設定に用いるタイマー用ボタン４００ａが配置されている。タイマー用ボタン４００ａは、例えば回転式のボタンであり、ボタンの回転に応じた通電時間がタイマ−４００に設定される。
【００８６】
これらから分かる様に、症状選択ボタン６０２ａ、６０２ｂを用いることで、過去の治療知見に基づく電気信号を正確に生成することが可能である。同様に、部位選択用のボタン６０６ａ〜６０６ｇを用いることで、過去の治療知見に基づく電極位置を正確に再現することが可能である。これにより、操作性が向上すると共に、より正確に治療効果を得ることが可能となる。また、ボタン６０４、タッチパネル６５０、及びボタン６６０を設けることで、症状に合わせて電気信号の特性、及び使用電極の位置などを変更することもできる。
【００８７】
図２５は、制御回路７００の詳細な構成を示すブロック図であり、図２５に基づき、制御回路７００の詳細な構成を説明する。図２５に示すように、制御回路７００は、画像生成部７００ａと、操作入力部７００ｂと、設定部７００ｃと、表示制御部７００ｄを有する。
【００８８】
画像生成部７００ａは、タッチパネル６５０に表示する画像を生成する。より具体的には、画像生成部７００ａは、位置選択回路６０６（図１）により選択された範囲パラメータ、及び電極タイプパラメータ（図８）を用いて第１範囲及び第２範囲、及び電極の使用位置を示す画像を生成する。
【００８９】
操作入力部７００ｂは、タッチパネル６５０（図２２）の操作者によるタッチ位置に対応する電極の位置を記憶回路５００（図１）に入力する。また、操作入力部７００ｂは、ボタン６０４ａ（図２２）、ボタン６６０（図２２）の調整結果を記憶回路５００に入力する。
【００９０】
設定部７００ｃは、保存ボタン６７０（図２２）が指示されると、操作入力部７００ｂにより入力されたタッチ位置に対応する電極の位置、ボタン６０４ａ（図２２）、及びボタン６６０（図２２）の調整結果に基づき、記憶回路５００（図１）に記録されるパラメータを変更設定する。  
【００９１】
表示制御部７００ｄは、画像生成部７００ａにより生成された画像をタッチパネル６５０（図２２）に表示させる制御を行う。
【００９２】
以上が第１実施形態に係る構成の説明であるが、以下に制御回路７００の動作例について説明する。
【００９３】
図２６は、制御回路７００の制御処理の一例を示すフローチャートである。ここでは、副交換神経優位に対応するボタン６０２ａと、心臓に対応するボタン６０６ａとが、操作者に選択され、タイマー４００の設定により電気信号の出力が開始される場合の処理について説明する。
【００９４】
まず、症状選択ボタン６０２ａ、６０２ｂの中から副交換神経優位に対応するボタン６０２ａと、心臓に対応するボタン６０６ａとが操作者に押し下げられる（ステップＳ１００）。続けて、ボタン６０２ａに関連付けられた識別情報（識別Ｎｏ．１）に示す信号パラメータが信号選択回路６０２により記憶回路５００から選択され、制御回路７００に出力される。同様に、ボタン６０６ａに関連付けられた識別情報（識別Ｎｏ．３）に示す範囲パラメータ、強度パラメータ、及び電極タイプパラメータが位置選択回路６０６により記憶回路５００から選択され、制御回路７００に出力される（ステップＳ１０２）。
【００９５】
次に、制御回路７００は、読み込んだ信号パラメータの値に基づき、周波数が異なる信号毎の強度値を増幅変調回路１０６に出力する（ステップＳ１０４）。
【００９６】
次に、制御回路７００の画像生成部７００ａは、入力された範囲パラメータ、強度パラメータ、及び電極タイプパラメータに基づき、使用する電極の形状を示す画像上に第１範囲、及び第２範囲を示す画像を生成する（ステップＳ１０６）。続けて、表示制御部７００ｄは、画像生成部７００ａが生成した画像をタッチパネル６５０に表示させる制御を行う（ステップＳ１０８）。
【００９７】
次に、制御回路７００は、タイマー４００からの入力信号に従い通電時間を設定する（ステップＳ１１０）。続いて、制御回路７００は、開始ボタンが押し下げられたか否かを判定し（ステップＳ１１２）、押し下げられていない場合（ステップＳ１１２のＮｏ）、ボタン６０４ａ、タッチパネル６５０、及びボタン６６０の調整によるパラメータの設定変更を受け付ける（ステップＳ１１４）。一方で、押し下げられた場合（ステップＳ１１２のＹｅｓ）、制御回路７００は、生成回路１００に電気信号の生成制御と切替回路１５０の切替制御を行う（ステップＳ１１６）。
【００９８】
次に、制御回路７００は、タイマー用のボタン４００ａで設定された時間が経過したか否かを判断し（ステップＳ１１８）、経過していない場合（ステップＳ１１８：Ｎｏ）、ステップＳ１１４からの制御を繰り返す。一方で、経過した場合（ステップＳ１１８：Ｙｅｓ）、全体処理を終了する。
【００９９】
以上のように、本実施形態によれば、制御回路７００が、被検体の部位に応じて、第１電極部２００ａ及び第２電極部２００ｂが伝導する電気信号の強度を上げる第１範囲及び第２範囲を変更する制御を行うこととした。これにより、部位に応じて、電気信号を伝導させる範囲及び強度が変更され、より多くの症例などに対応が可能になり、治療効果をより上げることができる。
【０１００】
（第１変形例）
上述した第１実施形態においては、電気治療器１は外部から電力の供給を受けることとしたが、本変形例においては、電源を電気治療器１内の電池１０２ａで構成するようにしている。以下、上述した第１実施形態と異なる部分を説明する。また、第１実施形態と同等の構成には同一の番号を付して説明を省略する。
【０１０１】
図２７は、第１変形例に係る電気治療器１の構成例を示す図である。この図２７に示すように、電池１０２ａは、電気治療器１内の各回路に電力を供給する。この電池１０２ａは、例えば二次電池であり、充電が可能である。また、電池１０２ａは交換可能に構成されている。これにより、電気治療器１の携帯が可能になる。すなわち、第１変形例に係る電気治療器１は、可搬することが可能な可搬型の電気治療器である。
【０１０２】
以上のように、本変形例によれば、電気治療器１内の電池１０２ａにより各回路に電力を供給させることとした。これにより、被検体に装着した状態での電気治療も可能となり、日常生活においても連続的な治療を行うことが可能になり、治療効果をより上げることができる。
【０１０３】
上記の説明において用いた「プロセッサ」という文言は、例えばＣＰＵ（ｃｅｎｔｒａｌ  ｐｒｏｃｅｓｓｉｎｇ  ｕｎｉｔ）、ＧＰＵ（Ｇｒａｐｈｉｃｓ  Ｐｒｏｃｅｓｓｉｎｇ  Ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ））、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）などの回路を意味する。プロセッサは記憶回路５００に保存されたプログラムを読み出し実行することで機能を実現する。なお、記憶回路５００にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【０１０４】
以上、いくつかの実施形態を説明したが、これらの実施形態は、例としてのみ提示したものであり、発明の範囲を限定することを意図したものではない。本明細書で説明した新規な装置、方法およびプログラムは、その他の様々な形態で実施することができる。また、本明細書で説明した装置、方法およびプログラムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【０１０５】
１：電気治療器、１００：生成回路、１５０：切替回路、２００ａ：第１電極部、２００ｂ：第２電極部、２０６ａ、２０６ｂ、２１２ａ、２１２ｂ、２１４ａ、２１４ｂ、２１６ａ、２１６ｂ、２２６ａ、２２６ｂ：第１範囲、２０８ａ、２０８ｂ、２１０ａ、２１０ｂ、２１４ａ、２１４ｂ、２１６ａ、２１６ｂ、２２６ａ、２２６ｂ、２１８ａ、２１８ｂ、２２０ａ、２２０ｂ、２２２ａ、２２２ｂ、２２４ａ、２２４ｂ：第２範囲、５００：記憶回路、６０２：信号選択回路、６０４：調整回路、６０６：位置選択回路、７００：制御回路
【図１】
2019213794.tif 000003
【図２】
2019213794.tif 000004
【図３】
2019213794.tif 000005
【図４】
2019213794.tif 000006
【図５】
2019213794.tif 000007
【図６】
2019213794.tif 000008
【図７】
2019213794.tif 000009
【図８】
2019213794.tif 000010
【図９】
2019213794.tif 000011
【図１０】
2019213794.tif 000012
【図１１】
2019213794.tif 000013
【図１２】
2019213794.tif 000014
【図１３】
2019213794.tif 000015
【図１４】
2019213794.tif 000016
【図１５】
2019213794.tif 000017
【図１６】
2019213794.tif 000018
【図１７】
2019213794.tif 000019
【図１８】
2019213794.tif 000020
【図１９】
2019213794.tif 000021
【図２０】
2019213794.tif 000022
【図２１】
2019213794.tif 000023
【図２２】
2019213794.tif 000024
【図２３】
2019213794.tif 000025
【図２４】
2019213794.tif 000026
【図２５】
2019213794.tif 000027
【図２６】
2019213794.tif 000028
【図２７】
2019213794.tif 000029
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
被検体に電気信号を伝導する電気治療器であって、
直流の電気信号を生成する生成部と、
複数の電極を配置した第１電極部であって、前記被検体の皮膚表面に配置され、前記被検体に前記電気信号を非侵襲に伝導する第１電極部と、
前記第１電極部における複数の電極のそれぞれが前記電気信号を伝導させる対象となる複数の電極を配置した第１電極部と異なる第２電極部であって、前記被検体の皮膚表面に配置され、前記被検体に前記電気信号を非侵襲に伝導する第２電極部と、
前記第１電極部の複数の電極、および前記第１電極部の前記複数の電極に対応する前記第２電極部の複数の電極に対して前記電気信号を伝導させる制御を行う制御部と、を備え
前記第１電極部の複数の電極は正極と負極とが配置されており、
前記第２電極部の複数の電極は、前記第１電極部の正極と対になる負極、前記第１電極部の負極と対になる正極が配置されており、
前記制御部は、前記第１電極部の複数の電極、および前記第１電極部の前記複数の電極に対応する前記第２電極部の複数の電極に対して所定順に前記電気信号を伝導させる制御を行う、
電気治療器。
【請求項２】
前記第１電極部は、前記複数の電極を２次元状に配置し、前記第２電極部は、前記第１電極部と対となる複数の電極を２次元状に配置しており、
前記制御部は、前記被検体の部位に応じて、前記第１電極部及び前記第２電極部が伝導する電気信号の強度を上げる第１範囲を変更する制御を行う請求項１に記載の電気治療器。
【請求項３】
前記制御部は、前記被検体の部位に応じて、前記第１範囲の中で更に強度を上げる第２範囲を変更する制御を行う請求項２に記載の電気治療器。
【請求項４】
前記直流の電気信号は、周波数が異なる複数の信号を加算することにより構成されており、
前記複数の電極のそれぞれから前記直流の電気信号が伝導され、
前記制御部は、前記被検体の症例に応じて、前記周波数の組み合わせを変更する制御を行う、請求項１乃至３のいずれか一項に記載の電気治療器。
【請求項５】
前記電気信号の特性を選択する第１選択部を更に備え、
前記生成部は、前記第１選択部による選択に応じて、前記電気信号に含まれる信号の周波数帯を変更する、請求項１乃至４のいずれか一項に記載の電気治療器。
【請求項６】
前記第１選択部は、副交感神経を優位にする第１モードに対応する電気信号の特性と、交感神経を優位にする第２モードに対応する電気信号の特性とを、選択する請求項５に記載の電気治療器。
【請求項７】
前記第１モードに対応する前記電気信号の１０Ｈｚ未満の信号の強度平均値は、周波数が１０Ｈｚ以上の信号の強度平均値よりも大きく、
前記第２モードに対応する前記電気信号の１０Ｈｚ未満の信号の強度平均値は、周波数が１０Ｈｚ以上の信号の強度平均値よりも小さい、請求項６に記載の電気治療器。
【請求項８】
前記第１モードに対応する前記電気信号は、少なくとも周波数が３、５、及び８Ｈｚの信号を用いて構成され、
前記第２モードに対応する前記電気信号は、少なくとも周波数が１３、１５、及び１８Ｈｚの信号を用いて構成される、請求項６又は７に記載の電気治療器。
【請求項９】
被検体に電気信号を伝導する電気治療器であって、
直流の電気信号を生成する生成部と、
先端部が突出した複数の電極を２次元状に配置した第１電極部であって、前記被検体の皮膚表面に配置され、前記被検体に前記電気信号を非侵襲に伝導する第１電極部と、
前記第１電極部と対となり、先端部が突出した複数の電極を２次元状に配置した第２電極部であって、前記被検体の皮膚表面に配置され、前記被検体に前記電気信号を非侵襲に伝導する第２電極部と、
前記被検体の部位に応じて、前記第１電極部及び前記第２電極部が伝導する電気信号の強度を上げる第１範囲を変更する制御を行う制御部と、
を備え、
前記第１電極部の複数の電極は正極と負極とが交互に配置されており、
前記第２電極部の複数の電極は、前記第１電極部の正極と対になる負極、前記第１電極部の負極と対になる正極が交互に配置されており、
前記制御部は、前記第１電極部の複数の電極、および前記第１電極部の前記複数の電極に対応する前記第２電極部の複数の電極に対して順に前記電気信号を伝導させる制御を行う、電気治療器。
【請求項１０】
前記第１電極部の複数の電極、および前記第２電極部の複数の電極の中で前記電気信号を出力する電極を切り替える切替部と、
前記第１電極部の複数の電極、および前記第２電極部の複数の電極の内の使用する電極の情報を複数の部位それぞれに対応させて記憶する記憶部と
前記複数の部位の中から治療対象の部位を選択する第２選択部と、を更に備え、
前記制御部は、前記第２選択部により選択された部位に対応する前記電極の情報に基づき、前記電気信号を前記切替部に出力させる制御を行う、請求項１乃至９のいずれか一項に記載の電気治療器。
【請求項１１】
前記電極は先端部が突出しており、先端部の径は０．０４ｍｍ以上０．１５ｍｍ以下である請求項１乃至８のいずれか一項に記載の電気治療器。
【請求項１２】
前記第１範囲及び前記第２範囲の内の少なくとも前記第１範囲を表示するタッチパネルを更に備え、
前記制御部は、前記タッチパネルへの操作に応じて前記第１範囲及び前記第２範囲の内の少なくとも前記第１範囲を変更する、請求項３に記載の電気治療器。
【請求項１３】
前記制御部は、副交感神経を優位にする第１モードと、交感神経を優位にする第２モードの選択に応じて前記第１範囲及び前記第２範囲の内の少なくとも前記第２範囲を変更する、請求項３に記載の電気治療器。  
【請求項１４】
前記第１電極部、及び前記第２電極部は、２次元状に前記電極を配置したシートタイプ、１次元状に前記電極を配置したベルトタイプ、及び円形状に前記電極を配置した円形パッドタイプの内のいずれかである、請求項１に記載の電気治療器。
【請求項１５】
複数の電極を配置し、被検体の皮膚表面に配置され、前記被検体に電気信号を非侵襲に伝導する第１電極部であって、前記複数の電極は正極と負極とを配置している第１電極部と、
前記第１電極部における複数の電極のそれぞれが前記電気信号を伝導させる対象となる複数の電極を配置した第１電極部と異なる第２電極部であって、第１電極部の正極と対になる負極、前記第１電極部の負極と対になる正極が前記被検体の皮膚表面に配置され、前記被検体に前記電気信号を非侵襲に伝導する第２電極部と、に電気信号を伝導する電気治療器の制御方法であって、  
生成部が、前記電気信号を生成する工程と、
制御部が、前記第１電極部の複数の電極、および前記第１電極部の前記複数の電極に対応する前記第２電極部の複数の電極に対して所定順に前記電気信号を伝導させる制御を行う工程と、
を備える電気治療器の制御方法。